(57)【要約】    【課題】  従来の聴衆側の調整場所とは離れた演者側において、実際に音声をモニタしながら、遠隔操作によって的確に音声を調整できる音声調整技術を提供する。    【解決手段】  コントローラ３０が、調整装置２０Ａ〜２０Ｄに対する調整信号を入力するスライドボリューム３１ａ、各調整装置２０Ａ〜２０Ｄに対応する識別情報を入力するスイッチ３３Ａ〜３３Ｄ、調整信号及び識別情報を送信する送信部３５を有する。複数の調整装置２０Ａ〜２０Ｄが、それぞれの識別情報を記憶するＩＤ記憶部２２、外部から送信された調整信号及び識別情報を受信する受信部２４、受信部が受信した識別情報がＩＤ記憶部２２に記憶された識別情報と一致するか否かを判定するＩＤ判定部２３ｂ、ＩＤ判定部２３ｂによって一致すると判定された場合に、受信部２４において受信した調整信号に基づいて、音声信号の増幅率を調整する調整部２１を有する。【選択図】  図１
2005159972.tif 000002
【特許請求の範囲】
【請求項１】
音声信号を調整する調整装置と、前記調整装置における音声信号の調整を操作する操作装置とを有する音声調整システムにおいて、
前記調整装置及び前記操作装置は別体に構成され、
前記操作装置は、前記調整装置に対する調整信号を入力する調整信号入力部と、前記調整信号を送信する送信部とを有し、
前記調整装置は、前記送信部から送信された調整信号を受信する受信部と、前記受信部において受信した調整信号に基づいて、音声信号の増幅率を調整する調整部とを有することを特徴とする音声調整システム。
【請求項２】
音声信号を調整する調整装置と、前記調整装置における音声信号の調整を操作する操作装置とを有する音声調整システムにおいて、
前記調整装置は複数設けられ、
前記調整装置及び前記操作装置は別体に構成され、
前記操作装置は、前記調整装置に対する調整信号を入力する調整信号入力部と、各調整装置に対応する識別情報を入力する識別情報入力部と、前記調整信号及び前記識別情報を送信する送信部とを有し、
前記調整装置は、それぞれの識別情報を記憶する識別情報記憶部と、外部から送信された調整信号及び識別情報を受信する受信部と、前記受信部が受信した識別情報が、前記識別情報記憶部に記憶された識別情報と一致するか否かを判定する判定部と、前記判定部によって一致すると判定された場合に、前記受信部において受信した調整信号に基づいて、音声信号の増幅率を調整する調整部と、
を有することを特徴とする音声調整システム。
【請求項３】
音声信号を調整する音声調整装置において、
識別情報を記憶する識別情報記憶部と、
外部から送信された調整信号及び識別情報を受信する受信部と、
前記受信部が受信した識別情報が、前記識別情報記憶部に記憶された識別情報と一致するか否かを判定する判定部と、
前記判定部によって一致すると判定された場合に、前記受信部において受信した調整信号に基づいて、音声信号の増幅率を調整する調整部と、
を有することを特徴とする音声調整装置。
【請求項４】
外部の音声調整装置を操作するための操作装置において、
音声の調整信号を入力する調整信号入力部と、
音声調整装置に対応する識別情報を入力する識別情報入力部と、
前記調整信号及び前記識別情報を、外部へ送信する送信部と、
を有することを特徴とする操作装置。
【請求項５】
前記調整信号入力部は、周波数帯域別に複数設けられていることを特徴とする請求項４記載の操作装置。
【請求項６】
前記識別情報入力部は、複数の音声調整装置に対応して複数設けられていることを特徴とする請求項４又は請求項５記載の操作装置。
【請求項７】
コンピュータを制御することにより、音声信号を調整させる音声調整用プログラムにおいて、
前記コンピュータに、
識別情報を記憶させ、
外部から送信された調整信号及び識別情報を受信させ、
受信した識別情報が、記憶された識別情報と一致するか否かを判定させ、
一致すると判定された場合に、受信した調整信号に基づいて、音声信号の増幅率を調整させることを特徴とする音声調整用プログラム。
【請求項８】
コンピュータを制御することにより、外部の音声調整装置を操作させる操作用プログラムにおいて、
前記コンピュータに、
音声調整装置毎の識別情報を入力させ、
前記識別情報を外部へ送信させ、
音声の調整信号を入力させ、
前記調整信号を外部へ送信させることを特徴とする操作用プログラム。
【発明の詳細な説明】
【技術分野】
【０００１】
本発明は、例えば、入力された音声信号の音量などを周波数帯域別にそれぞれ調整して出力する音声調整システム、音声調整装置、操作装置、音声調整用プログラム及び操作用プログラムに関する。
【背景技術】
【０００２】
近年、種々の音楽の演奏会場においては、舞台上に複数のマイクロフォンを設置し、それらの音声信号の音量等を個々に調整・混合し、最終的に増幅装置を用いて聴衆及び舞台上への拡声を行う音声調整装置等が利用されている。かかる場合には、聴衆への拡声は、客席側に向けられたスピーカによって行われ、舞台上への拡声は、演者側に向けられたスピーカによって行われている。
【０００３】
演者へ向けられたスピーカは、各演者のモニタ用として利用されるものであるため、それぞれの演者の数や位置を考慮し、例えば、１０個程度のスピーカを用いて行われる。これらのスピーカには、それぞれ調整された別々の音声信号が出力される。そして、舞台上には演者の声や演奏される楽器等の信号を集音するためのマイクロフォンが複数台設置されており、演者は、モニタ用のスピーカからの音声を聴きながら、マイクロフォンに向かって演奏する。
【０００４】
このような舞台上の設備においては、図５に示すように、マイクロフォンＭＣで集音され、アンプＡＰによって増幅された音声は、そのマイクロフォンＭＣと物理的距離の比較的近いモニタ用のスピーカＳＰから出力されるため、スピーカＳＰにおいて拡声された音声を、マイクロフォンＭＣから再度集音してしまう状態が、各々の設置場所によって起こり得る。この場合、集音端であるマイクロフォンＭＣと発音端であるスピーカＳＰとの間で、発振現象を引き起こし、設備の運用に障害をもたらす可能性がある。また、発振を引き起こす共振周波数は、スピーカＳＰ及びマイクロフォンＭＣの物理的位置に依存するため、事前に特定することが困難である。
【０００５】
これに対処するため、図６に示すように、各々のスピーカＳＰに繋がる回路に、音声信号の音量を周波数帯域別に加減する音声等化回路（イコライザ）ＥＱを挿入し、共振点となりうる周波数帯を減衰させたり、特定周波数帯を増幅して演者への明瞭度を増加させること等が行われている。
【特許文献１】特開２００２−４４７７８号公報
【発明の開示】
【発明が解決しようとする課題】
【０００６】
しかしながら、上記のような従来技術では、周波数帯域別に音量の加減を行う音声調整装置は、舞台上のモニタ用スピーカから離れた聴衆側の音声調整卓に設置されているので、スピーカからの音声を聴きながら的確に装置を操作することは難しく、調整をする度に音声調整装置の場所へその都度移動して操作を行うか、操作を行う操作者と舞台上で音声をモニタする補佐者（演者等）の２人が的確に連絡を取りながら行われなければならないという問題があった。
【０００７】
本発明は、上記のような従来技術の問題点を解決するために提案されたものであり、従来の聴衆側の調整場所とは離れた演者側において、実際に音声をモニタしながら、遠隔操作によって的確に音声を調整できる音声調整システム、音声調整装置、操作装置、音声調整用プログラム及び操作用プログラムを提供することを目的とする。
【課題を解決するための手段】
【０００８】
上記の目的を達成するため、請求項１記載の発明は、音声信号を調整する調整装置と、前記調整装置における音声信号の調整を操作する操作装置とを有する音声調整システムにおいて、前記調整装置及び前記操作装置は別体に構成され、前記操作装置は、前記調整装置に対する調整信号を入力する調整信号入力部と、前記調整信号を送信する送信部とを有し、前記調整装置は、前記送信部から送信された調整信号を受信する受信部と、前記受信部において受信した調整信号に基づいて、音声信号の増幅率を調整する調整部とを有することを特徴とする。
【０００９】
以上のような請求項１記載の発明では、調整信号を入力するための操作装置が、調整装置とは別体に構成されているので、舞台等にいる演者等が、出力音声をモニタしながら、操作装置によって調整装置を遠隔操作して、的確に調整することができる。
【００１０】
請求項２記載の発明は、音声信号を調整する調整装置と、前記調整装置における音声信号の調整を操作する操作装置とを有する音声調整システムにおいて、前記調整装置は複数設けられ、前記調整装置及び前記操作装置は別体に構成され、前記操作装置は、前記調整装置に対する調整信号を入力する調整信号入力部と、各調整装置に対応する識別情報を入力する識別情報入力部と、前記調整信号及び前記識別情報を送信する送信部とを有し、前記調整装置は、それぞれの識別情報を記憶する識別情報記憶部と、外部から送信された調整信号及び識別情報を受信する受信部と、前記受信部が受信した識別情報が、前記識別情報記憶部に記憶された識別情報と一致するか否かを判定する判定部と、前記判定部によって一致すると判定された場合に、前記受信部において受信した調整信号に基づいて、音声信号の増幅率を調整する調整部とを有することを特徴とする。
【００１１】
請求項３記載の発明は、音声信号を調整する音声調整装置において、識別情報を記憶する識別情報記憶部と、外部から送信された調整信号及び識別情報を受信する受信部と、前記受信部が受信した識別情報が、前記識別情報記憶部に記憶された識別情報と一致するか否かを判定する判定部と、前記判定部によって一致すると判定された場合に、前記受信部において受信した調整信号に基づいて、音声信号の増幅率を調整する調整部と、を有することを特徴とする。
【００１２】
請求項７記載の発明は、請求項３記載の発明をコンピュータプログラムの観点から捉えたものであり、コンピュータを制御することにより、音声信号を調整させる音声調整用プログラムにおいて、前記コンピュータに、識別情報を記憶させ、外部から送信された調整信号及び識別情報を受信させ、受信した識別情報が、記憶された識別情報と一致するか否かを判定させ、一致すると判定された場合に、受信した調整信号に基づいて、音声信号の増幅率を調整させることを特徴とする。
【００１３】
請求項４記載の発明は、外部の音声調整装置を操作するための操作装置において、音声の調整信号を入力する調整信号入力部と、音声調整装置に対応する識別情報を入力する識別情報入力部と、前記調整信号及び前記識別情報を、外部へ送信する送信部と、を有することを特徴とする。
【００１４】
請求項８記載の発明は、請求項４記載の発明をコンピュータプログラムの観点から捉えたものであり、コンピュータを制御することにより、外部の音声調整装置を操作させる操作用プログラムにおいて、前記コンピュータに、音声調整装置毎の識別情報を入力させ、前記調整信号を外部へ送信させ、音声の調整信号を入力させ、前記識別情報を外部へ送信させることを特徴とする。
【００１５】
以上のような請求項２〜４、請求項７及び８記載の発明では、識別情報に基づいて、所望の調整装置を選択的に切り替えて操作することができるので、複数箇所で出力される音声を、操作装置によって、所望の順序で調整することができ、便利である。
【００１６】
請求項５記載の発明は、請求項４記載の操作装置において、前記調整信号入力部は、周波数帯域別に複数設けられていることを特徴とする。
以上のような請求項５記載の発明では、調整信号入力部によって、周波数帯域別に音声信号の増幅率を調整することができるとともに、複数の調整装置において、調整信号入力部を兼用させることができるので、小型化が可能となる。
【００１７】
請求項６記載の発明は、請求項４又は請求項５記載の操作装置において、前記識別情報入力部は、複数の音声調整装置に対応して複数設けられていることを特徴とする。
識別情報入力部が、音声調整装置ごとに複数設けられているので、切り替えをすばやく行うことができる。
【発明の効果】
【００１８】
本発明によれば、従来の聴衆側の調整場所とは離れた演者側において、実際に音声をモニタしながら、遠隔操作によって的確に音声を調整できる音声調整システム、音声調整装置、操作装置、音声調整用プログラム及び操作用プログラムを提供することができる。
【発明を実施するための最良の形態】
【００１９】
以下、本発明を実施するための最良の形態（実施形態）について、図面を参照して説明する。
［実施形態の構成］
［全体構成］
まず、本実施形態の全体構成を、図１のブロック図を参照して説明する。すなわち、本実施形態の音声調整システム１０は、調整ユニット２０とコントローラ（操作装置）３０とを備えている。調整ユニット２０は、音声信号の増幅率を周波数帯域別に調整する複数の調整装置２０Ａ〜２０Ｄを備えている。各調整装置２０Ａ〜２０Ｄは、それぞれの入力側が、音声調整卓４０を介して舞台上のマイクロフォンＭＣ１〜ＭＣ４にそれぞれ接続されている。各調整装置２０Ａ〜２０Ｄの出力側は、外部の増幅装置（アンプ）ＡＰ１〜ＡＰ４を介して、舞台ＳＴ上のモニタ用のスピーカＳＰ１〜ＳＰ４にそれぞれ接続されている。コントローラ３０は、舞台ＳＴ上に載置され、若しくは舞台上の演者Ｐ等が携帯している。
【００２０】
音声調整卓４０は、操作者Ｍがスライドボリュームやスイッチ等の入力手段を操作すると、これに応じてマイクロフォンＭＣ１〜ＭＣ４からの音声信号を調整し、スピーカＳＰ１〜ＳＰ４へ出力する装置である。また、音声調整卓４０は、増幅装置ＡＰ５，ＡＰ６を介して、聴衆（客席）側のスピーカＳＰ５，ＳＰ６に接続されており、操作者Ｍが操作するスライドボリュームやスイッチ等の入力手段を操作すると、これに応じてマイクロフォンＭＣ１〜ＭＣ４からの音声信号を調整し、スピーカＳＰ１〜ＳＰ４へ出力することができる。この音声調整卓４０は、基本的には周知技術と同様であるため、その詳細は省略する。但し、音声調整卓４０には、客席側から操作者Ｍが調整を行う場合と、演者Ｐがコントローラ３０によって遠隔操作する場合とを切り替えるスイッチ等の切り替え手段が設けられているものとする。なお、上記の各装置における電源の構成については、説明を省略する。
【００２１】
［調整装置の構成］
次に、調整ユニット２０における各調整装置２０Ａ〜２０Ｄの構成を、図２を参照して説明する。すなわち、各調整装置２０Ａ〜２０Ｄは、調整部２１、ＩＤ記憶部２２、制御部２３及び受信部２４を有している。調整部２１は、マイクロフォンＭＣ１〜ＭＣ４からの入力信号を増幅する増幅器２１ａ、増幅された信号をデジタル変換するＡ／Ｄ変換器２１ｂ、音声信号の増幅率を周波数帯域別に調整する音声等化回路（イコライザ）２１ｃ、調整された信号をアナログ変換するＤ／Ａ変換器２１ｄ、変換された信号を増幅してスピーカＳＰ１〜ＳＰ４に出力する増幅器２１ｅを有している。音声等化回路２１ｃとしては、例えば、可聴周波数帯域を数バンドに分割し、スライドボリュームまたはスイッチから入力された調整信号に応じて、各周波数レベルを増減するグラフィックイコライザを適用することができる。調整部２１は、例えば、各部の機能を有する専用のチップ及びその周辺回路によって実現することができる。
【００２２】
ＩＤ記憶部２２は、各調整装置２０Ａ〜２０Ｄに別個に割り当てられた固有の識別情報（ＩＤ）を記憶するメモリ等の記憶手段である。制御部２３は、音声等化回路２１ｃに対して、受信した調整信号に基づく調整を指示する調整指示部２３ａ、受信したＩＤが、ＩＤ記憶部２２に記憶されたＩＤと一致するか否かを判定するＩＤ判定部２３ｂ、ＩＤ判定部２３ｂによりＩＤが一致すると判定された場合に、調整指示部２３ａによる調整を許可する許可部２３ｃ、受信信号のデータ変換、ＩＤ及び調整信号の識別等を行う信号識別部２３ｄを有している。このような制御部２３は、例えば、各部の機能を実現するＣＰＵ及び作業領域となるメモリ等を含む周辺回路によって構成できる。受信部２４は、コントローラ３０から送信されたＩＤ及び調整信号を受信して、制御部２３に受け渡す手段であり、例えば、受信用アンテナや、周波数変換、信号増幅等の通信に必要な処理を行う通信制御回路によって構成されている。
【００２３】
［コントローラの構成］
コントローラ３０は、調整信号処理部３１、ＩＤ登録部３２、スイッチ（ＳＷ）３３Ａ〜３３Ｄ、制御部３４及び送信部３５を有している。調整信号処理部３１は、周波数帯域に応じた調整信号を入力する調整信号入力部である複数のスライドボリューム（ＶＯＬ）３１ａ、スライドボリューム３１ａから入力された各周波数帯域に応じた調整信号を多重化する多重化装置（ＭＰＸ）３１ｂ、多重化された調整信号をデジタル変換するＡ／Ｄ変換器３１ｃを有している。ＩＤ登録部３２は、各調整装置２０Ａ〜２０Ｄに応じた識別情報を、スイッチ３３Ａ〜３３Ｄに対応付けて記憶するメモリ等の記憶手段である。スイッチ３３Ａ〜３３Ｄは、出力音声を調整したいスピーカＳＰ１〜ＳＰ４に対応する調整装置２０Ａ〜２０Ｄを選択入力するための識別情報入力部である。このような調整信号処理部３１は、例えば、各部の機能を有する専用のチップ及びその周辺回路によって実現することができる。
【００２４】
制御部３４は、操作されたスイッチ３３Ａ〜３３Ｄに応じた識別情報を、ＩＤ登録部３２から選択するＩＤ選択部３４ａ、調整信号処理部３１から入力された調整信号及びＩＤ選択部３４ａにより選択されたＩＤに対して、データ変換等の通信に適した処理を施す信号生成部３４ｂを有している。このような制御部３４は、例えば、各部の機能を実現するＣＰＵ及び作業領域となるメモリ等を含む周辺回路によって構成できる。さらに、送信部３５は、信号生成部３４ｂにおいて生成された信号を送信する手段であり、例えば、例えば、送信用アンテナや、周波数変換等の通信に必要な処理を行う通信制御回路によって構成されている。
【００２５】
なお、本実施形態の構成態様は、上記のように、各機能を実現するいわゆるチップとその周辺回路によって実現したり、複数の機能を集約したシステムＬＳＩによって実現する等、種々考えられるものであり、特定の回路に限定されない。また、汎用のコンピュータをプログラムで制御することで実現することもできる。この場合のプログラムは、コンピュータのハードウェアを物理的に活用することで、上述の機能ブロックを実現するものであり、かかるプログラム及びプログラムを記録したハードディスク、ＣＤ−ＲＯＭ、ＤＶＤ−ＲＯＭその他の種々の記録媒体は単独でも本発明の一態様である。従って、例えば、無線ＬＡＮその他の無線による通信機能を備えたパーソナルコンピュータやＰＤＡ（Ｐｅｒｓｏｎａｌ  Ｄｉｇｉｔａｌ  Ａｓｓｉｓｔａｎｔ）などの携帯端末に、アプリケーションプログラムをインストールすることにより、調整ユニット２０、コントローラ３０を構成することもできる。
【００２６】
［実施形態の作用］
以上のような本実施形態による音声調整手順を、図４のフローチャートを参照して説明する。なお、図４は、調整装置２０Ａ〜２０Ｄ側における処理の流れを示す。すなわち、音声調整卓４０におけるスイッチを、遠隔操作に切り替えることにより、調整ユニット２０における調整を有効にする（ステップ４０１）。そして、舞台上の演者Ｐが、コントローラ３０の電源を入れ、所望のマイクロフォン及びスピーカに対応する調整装置のスイッチを選択操作する。例えば、演者Ｐが利用しているマイクロフォンＭＣ４及びスピーカＳＰ４に対応する調整装置２０Ｄのスイッチ３３Ｄを操作する。
【００２７】
すると、ＩＤ選択部３４ａは、操作されたスイッチ３３Ｄに応じたＩＤをＩＤ登録部３２から選択して、信号生成部３４ｂに出力する。信号生成部３４ｂにおいては、入力されたＩＤに基づいて送信データが生成され、これが、送信部３５から送信される。これを受信した調整装置２０Ａ〜２０Ｄにおいては（ステップ４０２）、信号識別部２３ｄにおいて識別されたＩＤが、それぞれのＩＤ記憶部２２に格納されたＩＤと一致するか否を、ＩＤ判定部２３ｂが判定する（ステップ４０３）。当該ＩＤに対応しない調整装置２０Ａ〜２０Ｃにおいては、ＩＤが一致しないと判定されるので、許可部２３ｃは調整を許可せず、調整は行われない（ステップ４０９）。
【００２８】
当該ＩＤに対応する調整装置２０Ｄにおいては、ＩＤが一致すると判定されるので、許可部２３ｃが調整を許可する（ステップ４０４）。舞台上の演者Ｐは、スピーカＳＰ４からの音声をモニタしながら、コントローラ３０におけるスライドボリューム３１ａを操作することによって、各周波数帯域について所望の調整値を入力すると、これらが多重化装置３１ｂにおいて多重化され、Ａ／Ｄ変換器３１ｃにおいて変換されて、信号生成部３４ｂに出力される。信号生成部３４ｂにおいては、入力されたＩＤに基づいて送信データが生成され、これが、送信部３５から送信される。
【００２９】
これを受信した調整装置２０Ｄにおいては（ステップ４０５）、信号識別部２３ｄにおいて識別された調整信号に基づいて、調整指示部２３ａが音声等化回路２１ｃに対して調整を指示するので、マイクロフォンＭＣ４からの入力音声が調整されて、スピーカＳＰ４から出力される。さらに、他の演者が、上記と同様に、コントローラ３０から他の調整装置（例えば、２０Ａ）のＩＤを送信すると、これを受信した調整ユニット２０においては（ステップ４０７）、ＩＤが一致しない調整装置２０Ｄ及び２０Ｂ，２０Ｃにおける許可部２３ｃは調整を許可しないために、調整が制限され（ステップ４０３，４０９）、ＩＤが一致する調整装置２０Ａについては、許可部２３ｃが調整を許可するので（ステップ４０３，４０４）、上記と同様に調整が行われる（ステップ４０５，４０６）。
【００３０】
なお、音声調整卓４０におけるスイッチの切り替えや電源ＯＦＦ等による終了指示が入力されない限り（ステップ４０８，４１０）、既に調整が許可された調整装置における調整を継続して行うことができ（ステップ４０６）、新たなＩＤの受信により調整できる調整装置の切り替えが行われる（ステップ４０７）。自己のＩＤを受信しない調整装置については調整が制限される（ステップ４０９）。そして、上記の終了指示の入力によって（ステップ４０８，４１０）、処理が終了する。
【００３１】
［実施形態の効果］
以上のような本実施形態によれば、舞台から離れた音声調整卓４０側に設置された調整ユニット２０に対して、演者Ｐは、コントローラ３０のみを用いて、舞台ＳＴ上から、自身がスピーカ（例えば、ＳＰ４）からの拡声音をモニタしながら、遠隔操作で、共振点となる周波数帯を減衰させたり、特定周波数帯を増幅して演者への明瞭度を増加させる等の調整を行うことができる。従って、操作者Ｍと連絡を取りながら操作する手間がかからず、演者Ｐが自らの判断で的確な調整を行うことができる。
【００３２】
また、コントローラ３０からの通信信号の中に組み込まれた識別情報に基づいて、所望の調整装置２０Ａ〜２０Ｄを選択的に切り替えて操作することができるので、複数箇所のスピーカＳＰ１〜ＳＰ４から出力される音声を、単一のコントローラ３０によって、所望の順序で調整することができ、便利である。特に、コントローラ３０に設けられたスライドボリューム３１ａを、各調整装置２０Ａ〜２０Ｄにおいて兼用させることができるので、コントローラ３０を小型化させることができる。また、調整装置２０Ａ〜２０Ｄを選択するためのスイッチ３３Ａ〜３３Ｄが、調整装置２０Ａ〜２０Ｄごとに複数設けられているので、切り替えをすばやく行うことができる。
【００３３】
［他の実施形態］
本発明は上記のような実施形態に限定されるものではない。例えば、各マイクロフォン及びスピーカに対応する調整装置の数は、マイク及びスピーカの数に応じて自由に増減変更可能であり、上記の実施形態よりも多くても少なくてもよい。複数のマイクロフォン及びスピーカを単一の調整装置で共用させることもできる。調整装置に設ける受信部を、複数の調整装置で共有させることもできる。また、操作装置の数は、複数の演者等に対応して複数設け、各自が操作できるようにしてもよい。その場合、各自が携帯できるような小型の操作装置とすることが望ましい。操作装置におけるボリュームやスイッチ等の入力部の数についても、調整する周波数帯域、調整装置の数等に応じて自由に増減変更可能であり、上記の実施形態よりも多くても少なくてもよい。これらの入力部の種類も自由であり、回転式のボリュームや、スライド式の切り替えスイッチ、キーボード、マウス、タッチパネル等、現在又は将来において利用可能なあらゆる入力装置が適用可能である。
【００３４】
調整装置を識別するための識別情報は、調整装置及び操作装置内部で識別可能なものであれば、どのような形式であってもよい。例えば、各調整装置に固定的に付与された数字を、複数桁の２進数で表現したものとすることができる。また、操作装置に表示装置を備え、あらかじめ各調整装置の識別情報と、数字、記号、図柄、キャラクター等とを関連付けておき、表示装置に表示された識別情報を選択することによって、調整装置を選択できるように構成してもよい。この場合には、例えば、キーボード、マウス、タッチパネルによる入力ができるようにすることが便利である。このような識別情報と調整装置との関連付け、識別情報と、数字、記号、図柄、キャラクター等との関連付けは、固定的なものである必要はなく、ユーザにより自由に設定変更できるように構成してもよい。例えば、調整装置の増設に応じて、ユーザがかかる設定を行うことができるようにすれば、便利である。
【００３５】
また、調整装置を操作するために操作装置との間でやり取りされる調整信号（調整パラメータ等）は、その値の範囲、形式等、調整対象となる信号に応じたものを自由に適用可能である。複数のチャンネルの音声信号の音量のみを調整するものであってもよい。また、調整装置と操作装置との間での送受信に使用する周波数帯域は現在又は将来において利用可能なあらゆるものを適用可能である。近距離の場合には、赤外線によるデータの送受信により遠隔操作できる機能を備えてもよいし、電波状態の悪い場所では、有線で送受信できる機能を備えてもよい。上記の実施形態においては、調整部において調整できる周波数帯があらかじめ設定されたものであったが、調整出来る周波数帯が可変（パラメトリック）なものとしてもよい。調整部は、操作装置側に設けたボリュームにより全体の音量を調整できるように構成してもよいし、突然のハウリングに対処するために、ボタンスイッチ等の入力装置の操作により、ミュートしたり、フェードアウトできるように構成してもよい。さらに、本発明は、舞台と客席との間での利用には限定されず、マイクロフォンに比較的に近い距離にあるスピーカからの出力音声をモニタしながら、その音声を遠隔操作により調整することが必要な環境において、広く適用可能である。
【図面の簡単な説明】
【００３６】
【図１】本発明の音声調整システムの一例を示す全体構成図である。
【図２】図１の実施形態における調整装置を示す機能ブロック図である。
【図３】図１の実施形態における操作装置を示す機能ブロック図である。
【図４】図１の実施形態における調整装置の音声調整処理の手順を示すフローチャートである。
【図５】マイクロフォンとスピーカとの間での発振現象を示す説明図である。
【図６】図５にイコライザを挿入した説明図である。
【符号の説明】
【００３７】
１０…音声調整システム
２０…調整ユニット
２０Ａ〜２０Ｄ…調整装置
２１…調整部
２１ａ，２１ｅ…増幅器
２１ｂ，３１ｃ…Ａ／Ｄ変換器
２１ｃ，ＥＱ…音声等化回路（イコライザ）
２１ｄ…Ｄ／Ａ変換器
２１ｅ…増幅器
２２…ＩＤ記憶部
２３，３４…制御部
２３ａ…調整指示部
２３ｂ…ＩＤ判定部
２３ｃ…許可部
２３ｄ…信号識別部
２４…受信部
３０…コントローラ
３１…調整信号処理部
３１ａ…スライドボリューム（ＶＯＬ）
３１ｂ…多重化装置（ＭＰＸ）
３２…ＩＤ登録部
３３Ａ〜３３Ｄ…スイッチ
３４ａ…ＩＤ選択部
３４ｂ…信号生成部
３５…送信部
４０…音声調整卓
Ｍ…操作者
Ｐ…演者
ＳＴ…舞台
ＭＣ，ＭＣ１〜ＭＣ４…マイクロフォン
ＳＰ，ＳＰ１〜ＳＰ６…スピーカ
ＡＰ，ＡＰ１〜ＡＰ６…増幅装置
【図１】
2005159972.tif 000003
【図２】
2005159972.tif 000004
【図３】
2005159972.tif 000005
【図４】
2005159972.tif 000006
【図５】
2005159972.tif 000007
【図６】
2005159972.tif 000008